(57)【要約】【課題】  建具枠を躯体開口部に取り付けるに際して、躯体が鉄筋構造でも木造構造でも同一の取付金具を使用することができるようにする。【解決手段】躯体取付金具を一対の固定片と、水平部と、これら固定片と水平部の端部同士をそれぞれ連結する連結部とで形成すると共に、水平部には先端が前記一対の固定片を結ぶ線上に至る高さに設定した起立片を突成した。【選択図】  図４
2008240305.tif 000002
【特許請求の範囲】
【請求項１】
室内外方向に延設した見込み辺（３ａ，５ａ）の両端側を建物躯体側に折曲した見付け辺（３ｂ，５ｂ）の先端側をそれぞれ対向状に折曲形成した躯体側折曲片（３ｃ，５ｃ）を有する建具枠の躯体取付金具（９，１０）であって、該金具（９，１０）は前記躯体側折曲片（３ｃ，５ｃ）に固定される一対の固定片（９ｃ，１０ｃ）と、前記見込み片（３ａ，５ａ）の躯体側面に当接して設けられる水平部（９ａ，１０ａ）と、固定片（９ｃ，１０ｃ）と水平部（９ａ，１０ａ）の端部同士をそれぞれ連結する連結部（９ｂ，１０ｂ）とで形成すると共に、水平部（９ａ，１０ａ）には先端位置を前記一対の固定片（９ｃ，１０ｃ）を結ぶ線上に至る高さに設定した起立片（９ｄ，１０ｄ）が突成されていることを特徴とする建具枠の躯体取付金具（９，１０）。
【請求項２】
室内外方向に延設した見込み辺（３ａ，５ａ）の両端側を建物躯体側に折曲した見付け辺（３ｂ，５ｂ）の先端側をそれぞれ対向状に折曲形成した躯体側折曲片（３ｃ，５ｃ）を有する建具枠の躯体取付構造であって、前記建具枠には前記躯体側折曲片（３ｃ，５ｃ）に固定される一対の固定片（９ｃ，１０ｃ）と、前記見込み片（３ａ，５ａ）の躯体側面に当接して設けられる水平部（９ａ，１０ａ）と、固定片（９ｃ，１０ｃ）と水平部（９ａ，１０ａ）の端部同士をそれぞれ連結する連結部（９ｂ，１０ｂ）とで形成すると共に、水平部（９ａ，１０ａ）には先端位置を前記一対の固定片（９ｃ，１０ｃ）を結ぶ線上に至る高さに設定した起立片（９ｄ，１０ｄ）が突成された躯体取付金具（９，１０）が設けられていることを特徴とする建具枠の躯体取付構造。
【発明の詳細な説明】
【技術分野】
【０００１】
本発明は、建具枠を躯体に取り付けるに際して躯体が鉄筋造りであっても木造造りであっても同一の金具で取り付けられる建具枠の躯体取付金具および躯体取付構造に関するものである。
【背景技術】
【０００２】
躯体開口部にドアやサッシその他の建具を取り付ける場合には建具枠体に躯体取付金具（アンカー）を設け、該金具（アンカー）を躯体に固定するようにしている（特許文献１，２）。
【特許文献１】特開２００１−５５８７２号公報
【特許文献２】実開平５−８３２６８号公報
【発明の開示】
【発明が解決しようとする課題】
【０００３】
ところが、躯体開口部が形成される建物には大別して鉄筋構造や木造構造があり、それら構造によって取付金具（アンカー）の固定方法が異なるためそれぞれ専用の取付金具（アンカー）を用意して対処している。
このため、取付金具（アンカー）の生産効率も悪いばかりか在庫管理上も合理性に欠けるという問題があった。
【課題を解決するための手段】
【０００４】
本発明は、叙述の如き実情に鑑みこれらの課題を解決することを目的として創作されたものであって、室内外方向に延設した見込み辺の両端側を建物躯体側に折曲した見付け辺の先端側をそれぞれ対向状に折曲形成した躯体側折曲片を有する建具枠の躯体取付金具であって、該金具は前記躯体側折曲片に固定される一対の固定片と、前記見込み片の躯体側面に当接して設けられる水平部と、固定片と水平部の端部同士をそれぞれ連結する連結部とで形成すると共に、水平部には先端位置を前記一対の固定片を結ぶ線上に至る高さに設定した起立片が突成されていることを特徴とするものである。
また、室内外方向に延設した見込み辺の両端側を建物躯体側に折曲した見付け辺の先端側をそれぞれ対向状に折曲形成した躯体側折曲片を有する建具枠の躯体取付構造であって、前記建具枠には前記躯体側折曲片に固定される一対の固定片と、見込み片の躯体側面に当接して設けられる水平部と、固定片と水平部の端部同士をそれぞれ連結する連結部で形成すると共に、水平部には先端位置を前記一対の固定片を結ぶ線上に至る高さに設定した起立片が突成された躯体取付金具が設けられていることを特徴とするものである。
【発明の効果】
【０００５】
請求項１，２の発明により、建具枠をが取り付ける躯体構造が鉄筋でも木造でも同一の取付金具を用いることができるので、生産性の向上と在庫管理等の効率化が図れると共に建具枠の躯体取り付け作業を円滑に行うことができる。
また、取付金具が建具枠の補強を兼ねるように構成したので建具枠を薄板で形成した場合であっても枠の変形を防止し躯体に確りと固定することができる。
【発明を実施するための最良の形態】
【０００６】
つぎに、本発明の実施の形態を図面に基づいて説明する。
図面において、１はドア体の正面図であって、該ドア体１は上枠３と下枠４および左右縦枠５，５とで囲繞形成されるドア枠２に扉６がピボット６ａを介して開閉自在に支承されている。
上枠３は、薄板鋼板を折曲することによって形成されており、室内外方向に延設した見込み辺３ａの両端側を建物躯体側に折曲して見付け辺３ｂを形成し、更に見付け辺３ｂの先端側をそれぞれ対向方向に折曲形成した躯体側折曲片３ｃとで構成されている。
また、見込み辺３ａは、室内側と室外側にそれぞれ配設した水平部３ｄ，３ｄと、該水平部３ｄ，３ｄ間に形成され中央部にピボット６ａ先端側を嵌入する溝部３ｇを有し下方側に突出する凸部３ｅ，３ｅとで構成されている。  なお、溝部３ｇはその底面３ｆが水平部３ｄ，３ｄを結ぶ仮想線上に位置するよう設定されている。
凸部３ｅには扉６の上端面に向けて気密材７が設けられており、扉６の閉鎖時に上枠３と扉６との間隙を塞いで気密性を確保するようになっている。
一方、縦枠５は、中央側に長手方向二条の溝部５ｄ，５ｄが形成された見込み辺５ａと、該見込み辺５ａの両端側を建物躯体側に折曲してなる見付け辺５ｂと、見付け辺５ｂの先端側をそれぞれ対向方向に折曲形成した躯体側折曲片５ｃとで形成されている。  また、溝部５ｄ，５ｄは略同一深さに形成されており該溝部５ｄ，５ｄには気密材８を装着することによって扉６の閉鎖時に縦枠５，５と扉６との間隙を塞いで気密性を確保するようになっている。
【０００７】
つぎに、躯体取付金具を図５乃至７に基づいて説明する。
図５において、９は、本実施形態において上枠３に取り付けられる躯体取付金具であって、該躯体取付金具９は、水平部９ａと、該水平部９ａの両端を同方向にそれぞれ折曲した連結部９ｂ，９ｂと、該連結部９ｂ，９ｂの先端側をそれぞれ反対方向に折曲形成した一対の固定片９ｃ，９ｃとで断面略ハット型に形成されている。連結部９ｂの高さは、後述するように躯体取付金具９の固定片９ｃを上枠３の躯体側折曲片３ｃに固定した際、水平部９ａが上枠３の見込み辺３ａの背面に当接するように設定してある。
また、水平部９ａの中央部には該水平部９ａの一部分を背面側に切り起こして二本の起立片９ｄ，９ｄが離間突成されると共に起立片９ｄ，９ｄ間位置には螺子孔９ｅおよび孔９ｆが穿設され、さらに固定片９ｃにも孔９ｇが穿設されている。  なお、起立片９ｄは、その先端が前記一対の固定片９ｃ，９ｃを結ぶ仮想線Ｘ−Ｘ上に位置する高さに設定されている。
【０００８】
図６に示す躯体取付金具１０は、本実施形態においては縦枠５に取り付けられるものであるが、金具自体は水平部１０ａと、該水平部１０ａの両端を同方向にそれぞれ折曲した連結部１０ｂ，１０ｂと、該連結部１０ｂ，１０ｂの先端側をそれぞれ反対方向に折曲形成した一対の固定片１０ｃ，１０ｃとで断面略ハット型に形成されていることは上述した上枠用の躯体取付金具９と同様であるが、このものは躯体取付金具９に比して連結部１０ｂ，１０ｂの高さが低く設定されており、水平部１０ａの中央部に打ち抜き穴１０ｇが穿設された状態で該水平部１０ａの一部分を背面側に切り起こして二本の起立片１０ｄ，１０ｄが離間突成されると共に、水平部１０ａには打ち抜き穴１０ｇを挟むようにして左右に孔１０ｅ，１０ｅが穿設され、さらに固定片１０ｃにも孔１０ｆが穿設されている。  
連結部１０ｂの高さは、後述するように躯体取付金具１０の固定片１０ｃを縦枠５の躯体側折曲片５ｃに固定した際、水平部１０ａが縦枠５の見込み辺５ａの背面に当接するように設定してある。
なお、起立片１０ｄは、その先端が前記一対の固定片１０ｃ，１０ｃを結ぶ仮想線Ｘ−Ｘ上に位置する高さに設定されていることは躯体取付金具９と同様である。
【０００９】
このように形成した躯体取付金具９，１０は、図４に示すように上枠３および縦枠５の背面側に所定間隔を存して複数個が固定される。
図中（Ａ）は、躯体取付金具９を上枠３に固定した場合を示す図であって、
左右の固定片９ｃ，９ｃを上枠３の躯体側折曲片３ｃに孔９ｇを介して挿通したリベット１１により固定されており、この状態で水平部９ａは上枠３の見込み辺３ａを構成する水平部３ｄと溝部３ｇの底面３ｆとに当接しており、水平部９ａと底面３ｆは溝部３ｇ内において貫通螺子１２によって螺子孔９ｅにより固定されている。
また、（Ｂ）は、躯体取付金具１０を縦枠５に固定した場合を示す図であって、
固定片１０ｃ，１０ｃを縦枠５の躯体側折曲片５ｃに孔１０ｆを介して挿通したリベット１１により固定されており、この状態で水平部１０ａは縦枠５の溝部５ｄ，５ｄに当接している。
【００１０】
叙述のように躯体取付金具９，１０を取り付けたドア枠２の躯体開口部への取り付けを図２，図３に基づいて説明する。
図中（Ａ）は、躯体が鉄筋構造の場合を示すものであり、躯体開口部にドア枠２をセットした後に上枠３については、躯体に埋設された鉄筋１４を躯体取付金具９に設けられた二本の起立片９ｄ，９ｄのうちいずか一方の起立片９ｄに溶接固定することで、また縦枠５についても同様に躯体に埋設された鉄筋１４を躯体取付金具１０に設けられた二本の起立片１０ｄ，１０ｄのうちいずか一方の起立片１０ｄに溶接固定することで取り付けられる。
また、躯体が木造構造の場合には（Ｂ）に示すように躯体開口部にドア枠２をセットし木造躯体部１５とドア枠２との間に塞ぎ板１６等を挿入して躯体開口部内でのドア枠２の位置決めと上下左右移動を規制した後に、上枠３については溝部３ｇ側から孔９ｆを挿通する木螺子１３を木造躯体部１５に螺入することで、また縦枠５についても同様に二条の溝部５ｄ，５ｄ側から孔１０ｅ，１０ｅを挿通する木螺子１３を木造躯体部１５に螺入することで取り付けられる。  そして、
この場合においては起立片９ｄ，１０ｄが溝部３ｇ，５ｄの底面と塞ぎ板１６との間隙を維持して木螺子１３の螺入による枠の変形が防止される。
【００１１】
なお、上記実施形態に示した躯体取付金具９，１０は、いずれも起立片９ｄ，１０ｄは水平部９ａ，１０ａを打ち抜き形成したものを示したが図７のようにすることもできる。このものは、水平部１７ｂの長手方向両端部を折曲することによって起立片１７ａ，１７ａを形成するようにしたものであって、この場合には水平部１７ｂに切欠部が生じないので強度的にも優れた躯体取付金具１７とすることができる。
【００１２】
叙述のように本発明に係る躯体取付金具は、躯体が鉄筋構造であっても木造構造であっても同一仕様の金具で良く、生産性の向上と在庫管理等の効率化が図れると共に建具枠の躯体取り付け作業を円滑に行うことができる。
また、取付金具が建具枠の補強を兼ねるように構成したので建具枠を薄板で形成した場合であっても枠の変形を有効に防止し躯体に確りと固定することができる。
【図面の簡単な説明】
【００１３】
【図１】ドア体の正面図である。
【図２】図２（Ａ）は、躯体が鉄筋構造における図１のＡ−Ａ断面図である。          図２（Ｂ）は、躯体が木造構造における図１のＡ−Ａ断面図である。
【図３】図３（Ａ）は、躯体が鉄筋構造における図１のＢ−Ｂ断面図である。          図３（Ｂ）は、躯体が木造構造における図１のＢ−Ｂ断面図である。
【図４】図４（Ａ）は、躯体取付金具を上枠に取り付けた場合を示す状態図で          ある。図４（Ｂ）は、躯体取付金具を縦枠に取り付けた場合を示す状態図          である。
【図５】図５（Ａ），（Ｂ）は、それぞれ躯体取付金具の正面図、底面図であ          る。
【図６】図６（Ａ），（Ｂ）は、それぞれ躯体取付金具の正面図、底面図であ          る。
【図７】図７（Ａ），（Ｂ）は、それぞれ他の実施形態における躯体取付金具          の正面図、底面図である。
【符号の説明】
【００１４】
１    ドア体
２    ドア枠
３    上枠
５    縦枠  
３ａ，５ａ    見込辺
３ｂ，５ｂ    見付辺
３ｃ，５ｃ    躯体側折曲片
６    扉
９，１０    躯体取付金具
９ａ，１０ａ    水平部
９ｂ，１０ｂ    連結部
９ｃ，１０ｃ    固定片
９ｄ，１０ｄ    起立片
【図１】
2008240305.tif 000003
【図２】
2008240305.tif 000004
【図３】
2008240305.tif 000005
【図４】
2008240305.tif 000006
【図５】
2008240305.tif 000007
【図６】
2008240305.tif 000008
【図７】
2008240305.tif 000009